(57)【要約】  無認可の帯域が混雑している場合に、認可された帯域を用いてデータを送信する方法と装置とが、開示される。その方法は、第１のモバイルデバイスから第２のモバイルデバイスに無認可の帯域を用いて第１の信号を送信することと、第１のモバイルデバイスにおいて、第１の応答信号が無認可の帯域を用いて第１のモバイルデバイスによって受信されたかどうかを判定することと、第１の応答信号が無認可の帯域を用いて第１のモバイルデバイスによって受信されていない場合に、認可された帯域を用いて第１のモバイルデバイスから第２のモバイルデバイスに第２の信号を送信することとを含む。【選択図】      図３
2013500627.tif 000002
【特許請求の範囲】
【請求項１】
無認可の帯域が混雑している場合に、認可された帯域を用いてデータを送信する方法であって、
第１のモバイルデバイスから第２のモバイルデバイスに無認可の帯域を用いて第１の信号を送信することと、
前記第１のモバイルデバイスにおいて、第１の応答信号が前記無認可の帯域を用いて前記第１のモバイルデバイスによって受信されたかどうかを判定することと、
前記第１の応答信号が前記無認可の帯域を用いて前記第１のモバイルデバイスによって受信されていない場合に、認可された帯域を用いて前記第１のモバイルデバイスから前記第２のモバイルデバイスに第２の信号を送信することと
を含む、方法。
【請求項２】
前記第２の信号が前記認可された帯域を用いて前記第１のモバイルデバイスから前記第２のモバイルデバイスに送信されたことに応答して、前記認可された帯域を用いて、前記第２のモバイルデバイスにより第２の応答信号を前記第１のモバイルデバイスに送信することをさらに含む、請求項１に記載の方法。
【請求項３】
前記第１のモバイルデバイスにおいて、前記第２のモバイルデバイスからの前記第２の応答信号が前記第１のモバイルデバイスによって受信されたかどうかを判定することと、
前記第２のモバイルデバイスからの前記第２の応答信号が前記第１のモバイルデバイスによって受信された場合に、前記認可された帯域を用いて、前記第１のモバイルデバイスから前記第２のモバイルデバイスにデータ信号を送信することと
をさらに含む、請求項２に記載の方法。
【請求項４】
前記第１の信号が、制御信号と、送信要求（ＲＴＳ）信号と、データ信号とからなる群から選択される、請求項１に記載の方法。
【請求項５】
前記第１の応答信号が、制御信号と、受信準備完了（ＣＴＳ）信号と、肯定応答（ＡＣＫ）信号と、データ信号とからなる群から選択される、請求項１に記載の方法。
【請求項６】
前記第２の信号が、制御信号と、送信要求（ＲＴＳ）信号と、データ信号とからなる群から選択される、請求項１に記載の方法。
【請求項７】
前記第２の応答信号が、制御信号と、受信準備完了（ＣＴＳ）信号と、肯定応答（ＡＣＫ）信号と、データ信号とからなる群から選択される、請求項２に記載の方法。
【請求項８】
無認可の帯域が混雑している場合に、認可された帯域を用いてデータを送信するための装置であって、
プロセッサを含み、前記プロセッサが、
モバイルデバイスに無認可の帯域を用いて第１の信号を送信し、
第１の応答信号が前記無認可の帯域を用いて受信されたかどうかを判定し、
前記第１の応答信号が前記無認可の帯域を用いて受信されていない場合に、認可された帯域を用いて前記モバイルデバイスに第２の信号を送信する
ように構成される、装置。
【請求項９】
前記プロセッサが、前記第２の信号が前記認可された帯域を用いて送信されたことに応答して、前記認可された帯域を用いて第２の応答信号を受信するようにさらに構成される、請求項８に記載の装置。
【請求項１０】
前記プロセッサが、
前記モバイルデバイスからの前記第２の応答信号が受信されたかどうかを判定し、
前記モバイルデバイスからの前記第２の応答信号が受信された場合に、前記認可された帯域を用いて、前記モバイルデバイスにデータ信号を送信する
ようにさらに構成される、請求項９に記載の装置。
【請求項１１】
前記第１の信号が、制御信号と、送信要求（ＲＴＳ）信号と、データ信号とからなる群から選択される、請求項８に記載の装置。
【請求項１２】
前記第１の応答信号が、制御信号と、受信準備完了（ＣＴＳ）信号と、肯定応答（ＡＣＫ）信号と、データ信号とからなる群から選択される、請求項８に記載の装置。
【請求項１３】
前記第２の信号が、制御信号と、送信要求（ＲＴＳ）信号と、データ信号とからなる群から選択される、請求項８に記載の装置。
【請求項１４】
前記第２の応答信号が、制御信号と、受信準備完了（ＣＴＳ）信号と、肯定応答（ＡＣＫ）信号と、データ信号とからなる群から選択される、請求項９に記載の装置。
【請求項１５】
無認可の帯域が混雑している場合に、認可された帯域を用いてデータを送信するための装置であって、
モバイルデバイスに無認可の帯域を用いて第１の信号を送信するための手段と、
第１の応答信号が前記無認可の帯域を用いて受信されたかどうかを判定するための手段と、
前記第１の応答信号が前記無認可の帯域を用いて受信されていない場合に、認可された帯域を用いて前記モバイルデバイスに第２の信号を送信するための手段と
を含む、装置。
【請求項１６】
前記第２の信号が前記認可された帯域を用いて送信されたことに応答して、前記認可された帯域を用いて第２の応答信号を受信するための手段をさらに含む、請求項１５に記載の装置。
【請求項１７】
前記モバイルデバイスからの前記第２の応答信号が受信されたかどうかを判定するための手段と、
前記モバイルデバイスからの前記第２の応答信号が受信された場合に、前記認可された帯域を用いて、前記モバイルデバイスにデータ信号を送信するための手段と
をさらに含む、請求項１６に記載の装置。
【請求項１８】
前記第１の信号が、制御信号と、送信要求（ＲＴＳ）信号と、データ信号とからなる群から選択される、請求項１５に記載の装置。
【請求項１９】
前記第１の応答信号が、制御信号と、受信準備完了（ＣＴＳ）信号と、肯定応答（ＡＣＫ）信号と、データ信号とからなる群から選択される、請求項１５に記載の装置。
【請求項２０】
前記第２の信号が、制御信号と、送信要求（ＲＴＳ）信号と、データ信号とからなる群から選択される、請求項１５に記載の装置。
【請求項２１】
前記第２の応答信号が、制御信号と、受信準備完了（ＣＴＳ）信号と、肯定応答（ＡＣＫ）信号と、データ信号とからなる群から選択される、請求項１６に記載の装置。
【請求項２２】
無認可の帯域が混雑している場合に、認可された帯域を用いてデータを送信する方法を実施するための機械実行可能命令を具現化する機械可読媒体であって、前記方法が、
第１のモバイルデバイスから第２のモバイルデバイスに無認可の帯域を用いて第１の信号を送信することと、
前記第１のモバイルデバイスにおいて、第１の応答信号が前記無認可の帯域を用いて前記第１のモバイルデバイスによって受信されたかどうかを判定することと、
前記第１の応答信号が前記無認可の帯域を用いて前記第１のモバイルデバイスによって受信されていない場合に、認可された帯域を用いて前記第１のモバイルデバイスから前記第２のモバイルデバイスに第２の信号を送信することと
を含む、機械可読媒体。
【請求項２３】
前記第２の信号が前記認可された帯域を用いて前記第１のモバイルデバイスから前記第２のモバイルデバイスに送信されたことに応答して、前記認可された帯域を用いて、前記第２のモバイルデバイスにより第２の応答信号を前記第１のモバイルデバイスに送信するための命令をさらに含む、請求項２２に記載の機械可読媒体。
【請求項２４】
前記第１のモバイルデバイスにおいて、前記第２のモバイルデバイスからの前記第２の応答信号が前記第１のモバイルデバイスによって受信されたかどうかを判定するための命令と、
前記第２のモバイルデバイスからの前記第２の応答信号が前記第１のモバイルデバイスによって受信された場合に、前記認可された帯域を用いて、前記第１のモバイルデバイスから前記第２のモバイルデバイスにデータ信号を送信するための命令と
をさらに含む、請求項２３に記載の機械可読媒体。
【請求項２５】
前記第１の信号が、制御信号と、送信要求（ＲＴＳ）信号と、データ信号とからなる群から選択される、請求項２２に記載の機械可読媒体。
【請求項２６】
前記第１の応答信号が、制御信号と、受信準備完了（ＣＴＳ）信号と、肯定応答（ＡＣＫ）信号と、データ信号とからなる群から選択される、請求項２２に記載の機械可読媒体。
【請求項２７】
前記第２の信号が、制御信号と、送信要求（ＲＴＳ）信号と、データ信号とからなる群から選択される、請求項２２に記載の機械可読媒体。
【請求項２８】
前記第２の応答信号が、制御信号と、受信準備完了（ＣＴＳ）信号と、肯定応答（ＡＣＫ）信号と、データ信号とからなる群から選択される、請求項２３に記載の機械可読媒体。
【発明の詳細な説明】
【技術分野】
【０００１】
本発明は、ワイヤレス通信に関する。より具体的には、本発明は、帯域外のワイヤレスリソースを使用してモバイルデバイスの電力効率とレイテンシとを改善するための、方法と装置とに関する。
【背景技術】
【０００２】
ワイヤレス通信に対する需要は伸び続けており、ワイヤレス通信は個人向け通信とビジネス向け通信の両方の不可欠な要素となっている。ワイヤレス通信によって、ユーザーは、ワイヤレスネットワークと、ラップトップ、セルラーデバイス、ｉＰｈｏｎｅ（登録商標）、ＢｌａｃｋＢｅｒｒｙ（登録商標）のようなワイヤレスデバイスとを用いて、ほとんどどこからでもデータを送信および受信することができる。
【０００３】
ワイヤレスデバイスは、認可された（licensed）周波数帯または無認可（unlicensed）の周波数帯のどちらかで動作するように、一般に構成される。異なる国々が、ワイヤレスデバイスの動作のために、認可された周波数帯および無認可の周波数帯として、周波数帯の異なる部分を確保している。例として、米国においては、１．９ＧＨｚ帯が、ブロードバンドのワイヤレスデバイスのための認可された帯域として使用されてきた。米国の外では、３．５ＧＨｚ帯が、ブロードバンドのワイヤレスデバイスのための認可された帯域として、最も広く使用されてきた。認可された帯域には、ワイヤレスデバイスを動作させるために免許が必要な、全ての周波数帯が含まれる。認可された帯域では、帯域の免許を持つ者のみがインフラを構築することができ、通信を可能にしてその帯域にわたってサービスを提供することができる。認可された帯域は信頼性がより高く、トラフィック混雑が少ないが、認可されていない帯域と比較すると、一般に帯域が狭い。したがって、認可された帯域を用いて大量のデータを送信するには、より長い時間がかかる。
【０００４】
無認可の帯域は、ワイヤレスデバイスを動作させるために免許を必要としない、全ての周波数帯を含む。無認可の帯域では、あらゆるユーザーがその周波数帯を短距離のワイヤレス通信のために自由に使用できる。無認可の帯域は、認可された帯域と比較すると安価であり、帯域が広いが、第三者による制御を全く受けないため、その周波数帯を通過する大量のデータにより、信頼性が低くなり混雑することがある。しかし、無認可の帯域は、混雑していない場合には、大量のデータの送信に有用でありうる。
【０００５】
米国においては、無認可の帯域は２．４ＧＨｚと５．２ＧＨｚとにあり、これらはどちらも自由に使用できる。連邦通信委員会（ＦＣＣ）は現在、無認可の帯域に対して、送信電力スペクトル密度に対する制限およびアンテナ利得に対する制限のような要件を定めている。
【発明の概要】
【０００６】
したがって、認可された帯域と無認可の帯域の両方を用いて、モバイルデバイスの電力効率とレイテンシとを改善するための方法と装置とに対する要求が存在することが、当業者に認識されている。
【０００７】
無認可の帯域が混雑している場合に、認可された帯域を用いてデータを送信する方法と装置とが、開示される。その方法は、第１のモバイルデバイスから第２のモバイルデバイスに無認可の帯域を用いて第１の信号を送信することと、第１のモバイルデバイスにおいて、第１の応答信号が無認可の帯域を用いて第１のモバイルデバイスによって受信されたかどうかを判定することと、第１の応答信号が無認可の帯域を用いて第１のモバイルデバイスによって受信されていない場合に、認可された帯域を用いて第１のモバイルデバイスから第２のモバイルデバイスに第２の信号を送信することとを含む。
【０００８】
無認可の帯域が混雑している場合に、認可された帯域を用いてデータを送信するための装置が、開示される。その装置はプロセッサを含み、そのプロセッサは、無認可の帯域を用いてモバイルデバイスに第１の信号を送信し、第１の応答信号が無認可の帯域を用いて受信されたかどうかを判定し、第１の応答信号が無認可の帯域を用いて受信されていない場合に、認可の帯域を用いてモバイルデバイスに第２の信号を送信するように構成される。
【０００９】
本発明の特徴、目的、および利点は、以下で述べられる詳細な説明を図面とともに参照すると、より明らかになるだろう。
【図面の簡単な説明】
【００１０】
【図１】様々な実施形態による、認可された帯域と無認可の帯域とで動作するように構成された複数のノードを有するネットワークの、簡易的なブロック図。
【図２】様々な実施形態による、認可された帯域と無認可の帯域とで動作するように構成された例示的なノードのブロック図。
【図３】様々な実施形態による、帯域外のワイヤレスリソースを用いてワイヤレス通信デバイスの電力効率を向上させ、レイテンシを低減する方法を示す、流れ図。
【図４】様々な実施形態による、帯域外のワイヤレスリソースを用いてワイヤレス通信デバイスの電力効率を向上させ、通信のレイテンシを低減する装置のための例示的なコンポーネントと手段とを示す、ブロック図。
【発明を実施するための形態】
【００１１】
本発明の様々な特徴の実施形態を実施する方法およびシステムが、図面を参照してここで説明される。図面および関連する説明は、本発明の範囲を限定するためではなく、本発明の実施形態を例示するために提供される。本明細書における「一実施形態」または「ある実施形態」への言及は、その実施形態に関連して説明される具体的な特徴、構造、または特性が、本発明の少なくとも１つの実施形態に含まれることを示すことを意図している。本明細書の様々な箇所で登場する語句「一実施形態において」または「ある実施形態」は、全てが同一の実施形態を指しているとは限らない。図面を通して、参照される要素の間の対応を示すために、参照番号は再利用される。さらに、各参照番号の１桁目は、要素が最初に登場する図を示す。
【００１２】
図１は、様々な実施形態による、認可された帯域と無認可の帯域とで動作するように構成される、複数のノード１０１と、１０２と、１０３と、１０４とを有するネットワーク１００の簡易的なブロック図である。様々な実施形態において、ネットワーク１００は、ＷｉＦｉ（登録商標）ネットワーク、無認可のネットワーク（すなわち無認可の帯域で動作するネットワーク）、認可されたネットワーク（すなわち認可された帯域で動作するネットワーク）、および／または衝突回避方式の搬送波感知多重アクセス（ＣＳＭＡ／ＣＡ）ネットワークのような、１つまたは複数のネットワークを含んでもよい。複数のノード１０１と、１０２と、１０３と、１０４との各々は、ＷｉＦｉデバイスまたはノード、認可された帯域と無認可の帯域とで動作するように構成されたモバイルデバイスまたはワイヤレス通信デバイス、認可された帯域と無認可の帯域とで動作するように構成されたユーザーデバイスまたはホワイトスペースデバイス（ＷＳＤ）であってよい。ＷＳＤは、オーブンな、または未使用の周波数で動作する、モバイルデバイス、ラップトップコンピュータ、または別のポータブルデバイスであってよい。例示のために、本開示ではＷｉＦｉネットワークについて検討する。しかし、別の種類の認可されたネットワークおよび無認可のネットワークは、本発明の範囲内にある。さらに、図１では４つのノード１０１と、１０２と、１０３と、１０４とが示されているが、ネットワーク１００は１つまたは複数のノードを含んでもよい。例示のために、ノード１０１、１０２、１０３、１０４は、それぞれ、ノードＡ、ノードＢ、ノードＣ、ノードＤとも呼ばれうる。
【００１３】
例として、ワイヤレス（例えばＷｉＦｉ）通信は、無認可の帯域を用いて、ノードＡがノードＢへの送信を望んでいることを示す制御信号（例えば、ＷｉＦｉネットワークが搬送波感知多重アクセス（ＣＳＭＡ）プロトコルを使用する場合、送信要求（ＲＴＳ）信号または実際のデータ信号）を、ノードＡが送信することによって開始することができる。ノードＢがノードＡから制御信号を受信した後、ノードＢは応答信号（例えば、ＣＳＭＡプロトコルの場合は、受信準備完了（ＣＴＳ）信号または肯定応答（ＡＣＫ）パケットもしくは信号）をノードＡに送信し返し、ノードＢがノードＡとの通信を確立する（すなわちリンクを確保する）準備ができていること、またはノードＡとの通信が成功したことを示す。ノードＤは、ノードＤがノードＣへの送信を望んでいることを示す制御信号を送ることを望むことがある。ノードＣはノードＢに近いので、ノードＣはノードＤに何の信号も返さない。ノードＤは、ノードＣとの通信を確立しようとし続ける。しかし、ノードＣが、ノードＡおよびＢが通信を停止したことを認識し、応答信号をノードＤに送信するのに十分に長い期間、ノードＡおよびＢが通信を停止するまで、ノードＤはノードＣとの通信を確立できない。ノードＡおよびＢが通信を続けると、ノードＣおよびノードＤはより長いレイテンシを受ける。これは、長期隠匿端末問題（ｅｘｔｅｎｄｅｄ  ｈｉｄｄｅｎ  ｔｅｒｍｉｎａｌ  ｐｒｏｂｌｅｍ）とも呼ばれることがある。
【００１４】
図２は、様々な実施形態による、認可された帯域と無認可の帯域とで動作するように構成される、例示的なノードのブロック図である。例示のために、用語「ノード」は、ワイヤレス通信デバイス２００を指す。ワイヤレス通信デバイス２００は、認可された帯域と無認可の帯域とで通信するように構成される。ワイヤレス通信デバイス２００は、プロセッサ２０５と、メモリ２１０と、ディスプレイ２１５と、キーボード２２０と、ワイヤレス送信機２２５と、ワイヤレス受信機２３０と、第１のアンテナ２３５と、第２のアンテナ２４０と、電池２４５とを含む。チップ、コンポーネント、またはモジュールは、プリント回路基板２５０上に取り付けられ、または形成されうる。プリント回路基板２５０は、任意の誘電体の基板、セラミック基板、またはワイヤレス通信デバイス２００内の信号回路と電子的コンポーネントとを載せるための回路搭載の別の構造物を指しうる。
【００１５】
プロセッサ２０５は、ハードウェア、ソフトウェア、ファームウェア、ミドルウェア、マイクロコード、またはこれらの任意の組み合わせを用いて実装されうる。プロセッサ２２５は、Ａｄｖａｎｃｅｄ  ＲＩＳＣ  Ｍａｃｈｉｎｅ（ＡＲＭ）、コントローラ、デジタルシグナルプロセッサ（ＤＳＰ）、マイクロプロセッサ、符号器、復号器、回路、プロセッサチップ、またはデータを処理することができる任意の別のデバイス、およびこれらの任意の組み合わせであってよい。用語「回路」は、プロセッサ回路、メモリ回路、ＲＦ送受信機回路、電源回路、映像回路、音声回路、キーボード回路、およびディスプレイ回路を含んでもよい。
【００１６】
メモリ２１０は、様々なルーチンとデータとを含んでもよく、または保存してもよい。用語「メモリ」および「機械可読媒体」は、限定はされないが、ランダムアクセスメモリ（ＲＡＭ）、フラッシュメモリ、読み取り専用メモリ（ＲＯＭ）、ＥＰＲＯＭ、ＥＥＰＲＯＭ、レジスタ、ハードディスク、リムーバブルディスク、ＣＤ−ＲＯＭ、ＤＶＤ、ワイヤレスチャネル、ならびに命令（複数可）および／またはデータを保存、格納、または搬送することができる様々な別の媒体を含む。機械可読命令は、メモリ２１０に保存されてもよく、プロセッサ２０５によって実行され、本開示で説明される様々な機能をプロセッサ２０５に実行させることができうる。ディスプレイ２１５は、ＬＣＤ、ＬＥＤまたはプラズマディスプレイスクリーンであってよく、キーボード２２０は、文字と数字とを有する標準的なキーボード（例えばＱＷＥＲＴＹ配列）であってよい。
【００１７】
ワイヤレス通信機２２５は、プロセッサ２０５に結合され、第１のアンテナ２３５および／または第２のアンテナ２４０を介して、送信のためのデータを符号化してフォーマットするのに使用される。ワイヤレス受信機２３０はプロセッサ２０５に結合され、データが第１のアンテナ２３５および／または第２のアンテナ２４０から受信された後に、データを復号して解析するのに使用される。第１のアンテナ２３５は、ワイヤレス通信デバイス２００の右下部分に位置していてもよく、第２のアンテナ２４０は、ワイヤレス通信デバイス２００の右上部分に位置していてもよい。第１のアンテナ２３５は、セルラーアンテナ、ＧＳＭ（登録商標）アンテナ、ＣＤＭＡアンテナ、ＷＣＤＭＡアンテナ、または認可された帯域を用いて動作することができる任意の他のアンテナであってよい。第２のアンテナ２４０は、ＷｉＦｉアンテナ、ＧＰＳアンテナ、または無認可の帯域を用いて動作することができる任意の他のアンテナであってよい。電池２４５は、図２で示されるコンポーネントまたはモジュールに、電力を供給する。
【００１８】
図３は、様々な実施形態による、帯域外のワイヤレスリソースを用いてワイヤレス通信デバイス２００の電力効率を向上させ、レイテンシを低減する方法３００を示す流れ図である。認可された帯域１１５と無認可の帯域１１０とにおけるワイヤレス通信の一例が、本発明の利点のいくつか（例えば、モバイルデバイスの電力効率向上およびレイテンシ低減）を示すことを支援しうる。図１〜３を参照すると、ノードＣおよびＤは、ＷｉＦｉ通信に特有の遅延を回避する帯域外のワイヤレスリソースを利用することによって、電力効率を向上させ、レイテンシを低減することができる。帯域外のワイヤレスリソース１１５は、認可された帯域のような第２のチャネルであってよい。帯域外のワイヤレスリソース１１５は、帯域内のワイヤレスリソース１１０（例えば無認可の帯域のような第１のチャネル）が別のノード、例えばノードＡおよびＢによってワイヤレス通信に利用されている場合に、ノードＣおよびＤが、帯域外のワイヤレスリソース１１５を用いてワイヤレス通信を確立できるようにする。例示のために、各ノードＡ、Ｂ、ＣおよびＤは、図２に示されるようなワイヤレス通信デバイス２００である。
【００１９】
ノードＤ（例えば第１のワイヤレス通信デバイス）は、自身のメモリ２１０から第１の信号１１１を取り出し、ワイヤレス送信機２２５と第２のアンテナ２４０とを用いて、第１の信号１１１をノードＣ（例えば第２のワイヤレス通信デバイス）に無認可の帯域で送信する（ブロック３０５）。ノードＣは、第２のアンテナ２４０とワイヤレス受信機２３０とを介して、第１の信号１１１を受信する。第１の信号１１１は、制御信号、ＲＴＳ信号、またはデータ信号であってよい。
【００２０】
ノードＡおよびＢは、無認可の帯域を用いて通信している。したがって、領域ＡおよびＢにおける全ての他のノード（例えばノードＣ）は、無認可の帯域１１０で送信するために待機しなければならない。ノードＣがノードＤから第１の信号１１１を受信した後、無認可の帯域１１０の混雑（すなわち、領域ＢにおけるノードＢのノードＡとの通信のような他のノードの送信）のために、ノードＣは、無認可の帯域１１０を用いて応答しない（すなわち、ノードＤに応答信号１１６を送らない）。応答信号１１６は、制御信号、ＣＴＳ信号、またはデータ信号であってよい。
【００２１】
ノードＤは、なぜノードＣが応答しないかが分からないので、ノードＤはノードＣとの通信を確立しようとし続ける。ノードＤが第１の信号１１１を送った後、ノードＤは所定の期間（例えば１０ミリ秒）待機し、一方で同時に（またはほぼ同時に）、応答信号１１６がノードＤで無認可の帯域１１０を用いてノードＣから受信されたかどうかを判定する（ブロック３１０）。ノードＣから応答信号１１６が受信されない場合、ノードＤは延長された期間（例えば２０ミリ秒）待機し、次いでノードＣに別の信号１１１を送る。ＷｉＦｉ通信では、それぞれの次の時間に、ノードＤはノードＣに信号１１１を送り、遅延はより長くなりうる。したがって、ノードＣおよびＤは、より長いレイテンシを受ける。ノードＤは、長期間信号を受信しない（experience long-term starvation）ことがある。
【００２２】
無認可の帯域１１０を用いてノードＣに第１の信号１１１を送った後、ノードＤは、認可された帯域１１５を用いて、ノードＣに第２の信号１１２を送ってもよい。第２の信号１１２は、制御信号、ＲＴＳ信号、またはデータ信号であってよい。一実施形態では、ノードＤが、無認可の帯域１１０を用いたノードＣとの通信を確立する試みに、所定の回数（例えば１回、２回、３回、４回、５回など）失敗した（すなわち、ノードＤがノードＣからの応答信号１１６を受信しない）後で、ノードＤは、認可された帯域１１５を用いて、ノードＣに第２の信号１１２を送る（ブロック３１５）。第２の信号１１２は、ワイヤレス送信機２２５と第１のアンテナ２３５とを用いて送られうる。ノードＣはノードＤに応答信号１１７を送り、認可された帯域１１５を用いたワイヤレス通信を確立することができうる（ブロック３２０）。その後、ノードＣおよびＤは、認可された帯域１１５を用いてデータを送信することができうる。
【００２３】
図４は、様々な実施形態による、帯域外のワイヤレスリソースを用いてワイヤレス通信デバイス２００の電力効率を向上させ、通信のレイテンシを低減する装置のための例示的なコンポーネントと手段とを示す、ブロック図である。その装置は、無認可の帯域１１０を用いて、第１の信号１１１を第１のモバイルデバイス１０４から第２のモバイルデバイス１０３に送信するためのモジュール４０５と、応答信号１１６が無認可の帯域１１０を用いて第１のモバイルデバイス１０４によって受信されたかどうかを判定するためのモジュール４１０と、応答信号１１６が無認可の帯域１１０を用いて第１のモバイルデバイス１０４によって受信されていない場合に、認可された帯域１１５を用いて、第２の信号１１２を第１のモバイルデバイス１０４から第２のモバイルデバイス１０３に送信するためのモジュール４１５と、第２の信号１１２が認可された帯域１１５を用いて第１のモバイルデバイス１０４から第２のモバイルデバイス１０３に送信されたことに応答して、認可された帯域１１５を用いて、第２の応答信号１１７を受信するためのモジュール４２０とを含んでもよい。
【００２４】
本明細書で開示される実施形態に関連して説明される、様々な例示的な論理ブロック、モジュール、回路、およびアルゴリズムは、電子的ハードウェア、コンピュータソフトウェア、または両方の組み合わせとして実装されうることを、当業者は理解するだろう。このハードウェアとソフトウェアの互換性を示すために、様々な例示的なコンポーネント、ブロック、モジュール、回路、およびアルゴリズムは、一般にその機能に関して説明されてきた。そのような機能がハードウェアとして実装されるか、またはソフトウェアとして実装されるかは、具体的な用途と、システム全体に課される設計制約とにより決まる。当業者は、それぞれの具体的な用途のために、説明された機能を様々な方法で実装しうるが、そのような実装についての決定は、本開示の範囲からの逸脱をもたらすものと解釈されるべきではない。
【００２５】
本明細書で開示される実施形態に関連して説明される、様々な例示的な論理ブロック、モジュール、および回路は、汎用処理デバイス、デジタル信号処理デバイス（ＤＳＰ）、特定用途向け集積回路（ＡＳＩＣ）、フィールドプログラマブルゲートアレイ（ＦＰＧＡ）または別のプログラム可能な論理デバイス、個別ゲートまたはトランジスタロジック、個別のハードウェアコンポーネント、または、本明細書で説明される機能を実行するように設計されたこれらの任意の組み合わせによって実装され、または実行されうる。汎用処理デバイスはマイクロプロセシングデバイスであってよいが、代替的に、処理デバイスは、任意の従来の処理デバイス、処理デバイス、マイクロプロセシングデバイス、またはステートマシンであってよい。処理デバイスはまた、コンピューティングデバイスの組み合わせとして、例えばＤＳＰとマイクロプロセシングデバイスの組み合わせ、複数のマイクロプロセシングデバイス、ＤＳＰコアに接続された１つまたは複数のマイクロプロセシングデバイス、または任意の他のそのような構成として実装されうる。
【００２６】
本明細書で開示される実施形態に関連して説明される装置、方法、またはアルゴリズムは、ハードウェア、ソフトウェア、またはこれらの組み合わせとして直接具現化されうる。ソフトウェアでは、方法またはアルゴリズムは、処理デバイスによって実行されうる１つまたは複数の命令として具現化されうる。命令は、ＲＡＭメモリ、フラッシュメモリ、ＲＯＭメモリ、ＥＰＲＯＭメモリ、ＥＥＰＲＯＭメモリ、レジスタ、ハードディスク、リムーバブルディスク、ＣＤ−ＲＯＭ、または当技術分野で知られている任意のその他の形態の記憶媒体に存在してもよい。例示的な記憶媒体は、処理デバイスに結合され、したがって処理デバイスは、記憶媒体から情報を読み取ることができ、記憶媒体に情報を書き込むことができる。代替的に、記憶媒体は処理デバイスと一体であってもよい。処理デバイスおよび記憶媒体は、ＡＳＩＣに存在してもよい。ＡＳＩＣはユーザー端末に存在してもよい。代替的に、処理デバイスおよび記憶媒体は、ユーザー端末に個別のコンポーネントとして存在してもよい。
【００２７】
開示された実施形態の上記の説明は、当業者が本開示を実現または使用することができるようにするために提供される。これらの実施形態への様々な修正が当業者には容易に明らかであり、本明細書で定義される全体的な原理は、本開示の趣旨または範囲から逸脱することなく、他の実施形態に適用されうる。したがって、本開示は、本明細書で示された実施形態に限定されることを意図しておらず、本明細書で開示された原理と新規の特徴とに一致する、最大の範囲が認められるべきである。
【００２８】
本発明は、本発明の趣旨または基本的な特徴から逸脱することなく、別の具体的な形態で具現化しうる。説明された実施形態は、あらゆる面において例示的なものに過ぎず、限定的ではないと考えられるべきであり、したがって本発明の範囲は、前述の説明ではなく、添付の特許請求の範囲によって示される。特許請求の範囲と等価な意味と範囲とに収まる全ての変更は、本発明の範囲に包含されるべきである。
【図１】
2013500627.tif 000003
【図２】
2013500627.tif 000004
【図３】
2013500627.tif 000005
【図４】
2013500627.tif 000006
【手続補正書】
【提出日】平成24年3月23日(2012.3.23)
【手続補正１】
【補正対象書類名】特許請求の範囲
【補正対象項目名】全文
【補正方法】変更
【補正の内容】
【特許請求の範囲】
【請求項１】
無認可の帯域が混雑している場合に、認可された帯域を用いてデータを送信する方法であって、
第２のモバイルデバイスとの通信の確立を試みる際に、第１のモバイルデバイスから前記第２のモバイルデバイスへの通信を確立するために用いられる第１の信号を無認可の帯域を用いて送信することと、
前記第１のモバイルデバイスにおいて、第１の応答信号が前記無認可の帯域を用いて前記第１のモバイルデバイスによって受信されたかどうかを判定することであって、前記第１の応答信号が、前記無認可の帯域を用いて通信され、前記第２のモバイルデバイスとの通信の確立の試みに成功したことを示す、判定することと、
前記判定することが、前記第１の応答信号が前記無認可の帯域を用いて前記第１のモバイルデバイスによって受信されていないことを示す場合に、前記第２のモバイルデバイスとの通信を確立する試みが所定の回数失敗したかどうかを判定することと、
前記第２のモバイルデバイスとの通信を確立する試みが前記所定の回数失敗したと判定された場合に、認可された帯域を用いて、前記第１のモバイルデバイスから前記第２のモバイルデバイスに第２の信号を送信することと
を含む、方法。
【請求項２】
前記第２の信号への応答について前記認可された帯域を監視することをさらに含む、請求項１に記載の方法。
【請求項３】
前記第１のモバイルデバイスにおいて、前記第２のモバイルデバイスからの前記第２の信号への前記応答が前記第１のモバイルデバイスによって受信されたかどうかを判定することと、
前記第２のモバイルデバイスからの前記第２の信号への前記応答が前記第１のモバイルデバイスによって受信された場合に、前記認可された帯域を用いて、前記第１のモバイルデバイスから前記第２のモバイルデバイスにデータ信号を送信することと
をさらに含む、請求項２に記載の方法。
【請求項４】
通信を確立するために使用される前記第１の信号が、制御信号または送信要求（ＲＴＳ）信号の１つである、請求項１に記載の方法。
【請求項５】
前記第１の応答信号が、制御信号、受信準備完了（ＣＴＳ）信号、または肯定応答（ＡＣＫ）信号の１つである、請求項１に記載の方法。
【請求項６】
第１のモバイルデバイスから第２のモバイルデバイスへの通信を確立するために用いられる第１の信号を無認可の帯域を用いて送信することが、前記第１のモバイルデバイスの第１の位置に位置する第１のアンテナを用いて実行され、
認可された帯域を用いて、前記第１のモバイルデバイスから前記第２のモバイルデバイスに第２の信号を送信することが、前記第１のモバイルデバイスの、前記第１の位置とは異なる第２の位置に位置する第２のアンテナを用いて実行される、請求項１に記載の方法。
【請求項７】
前記第２の信号への前記応答が、制御信号または受信準備完了（ＣＴＳ）信号の１つである、請求項２に記載の方法。
【請求項８】
無認可の帯域が混雑している場合に、認可された帯域を用いてデータを送信するための第１のモバイルデバイスであって、
プロセッサを含み、前記プロセッサが、
第２のモバイルデバイスとの通信の確立を試みる際に、前記第２のモバイルデバイスへの通信を確立するために用いられる第１の信号を無認可の帯域を用いて送信し、
前記無認可の帯域を用いて通信され前記第２のモバイルデバイスとの通信の確立の試みに成功したことを示す第１の応答信号が、前記無認可の帯域を用いて受信されたかどうかを判定し、
前記第１の応答信号が前記無認可の帯域を用いて前記第１のモバイルデバイスによって受信されていない場合に、前記第２のモバイルデバイスとの通信を確立する試みが所定の回数失敗したかどうかを判定し、
前記第２のモバイルデバイスとの通信を確立する試みが前記所定の回数失敗したと判定された場合に、認可された帯域を用いて、前記第２のモバイルデバイスに第２の信号を送信する
ように構成される、第１のモバイルデバイス。
【請求項９】
前記プロセッサが、前記第２の信号への応答について前記認可された帯域を監視するようにさらに構成される、請求項８に記載の第１のモバイルデバイス。
【請求項１０】
前記プロセッサが、
前記第２のモバイルデバイスからの前記第２の信号への前記応答が受信されたかどうかを判定し、
前記第２のモバイルデバイスからの前記第２の信号への前記応答が受信された場合に、前記認可された帯域を用いて、前記第２のモバイルデバイスにデータ信号を送信する
ようにさらに構成される、請求項９に記載の第１のモバイルデバイス。
【請求項１１】
通信を確立するために使用される前記第１の信号が、制御信号または送信要求（ＲＴＳ）信号の１つである、請求項８に記載の第１のモバイルデバイス。
【請求項１２】
前記第１の応答信号が、制御信号、受信準備完了（ＣＴＳ）信号、または肯定応答（ＡＣＫ）信号の１つである、請求項８に記載の第１のモバイルデバイス。
【請求項１３】
前記プロセッサが、前記第１のモバイルデバイスから前記第２のモバイルデバイスへの通信を確立するために用いられる前記第１の信号を、前記第１のモバイルデバイスの第１の位置に位置する第１のアンテナを用いて送信し、前記第２の信号を、前記第１のモバイルデバイスから前記第２のモバイルデバイスに、前記第１の位置とは異なる前記第１のモバイルデバイスの第２の位置に位置する第２のアンテナを用いて、認可された帯域で送信するようにさらに構成される、請求項８に記載の第１のモバイルデバイス。
【請求項１４】
前記第２の信号への前記応答が、制御信号または受信準備完了（ＣＴＳ）信号の１つである、請求項９に記載の第１のモバイルデバイス。
【請求項１５】
無認可の帯域が混雑している場合に、認可された帯域を用いてデータを送信するための第１のモバイルデバイスであって、
第２のモバイルデバイスとの通信の確立を試みる際に、前記第２のモバイルデバイスへの通信を確立するために用いられる第１の信号を無認可の帯域を用いて送信するための手段と、
前記無認可の帯域を用いて通信され前記第２のモバイルデバイスとの通信の確立の試みに成功したことを示す第１の応答信号が、前記無認可の帯域を用いて受信されたかどうかを判定するための手段と、
前記第１の応答信号が前記無認可の帯域を用いて前記第１のモバイルデバイスによって受信されていない場合に、前記第２のモバイルデバイスとの通信を確立する試みが所定の回数失敗したかどうかを判定するための手段と、
前記第２のモバイルデバイスとの通信を確立する試みが前記所定の回数失敗したと判定された場合に、認可された帯域を用いて、前記第２のモバイルデバイスに第２の信号を送信するための手段と
を含む、第１のモバイルデバイス。
【請求項１６】
前記第２の信号に応答して、前記認可された帯域を用いて前記第２の信号への応答を受信するための手段をさらに含む、請求項１５に記載の第１のモバイルデバイス。
【請求項１７】
前記第２のモバイルデバイスからの前記第２の信号への前記応答が受信されたかどうかを判定するための手段と、
前記第２のモバイルデバイスからの前記第２の信号への前記応答が受信された場合に、前記認可された帯域を用いて、前記第２のモバイルデバイスにデータ信号を送信するための手段と
をさらに含む、請求項１６に記載の第１のモバイルデバイス。
【請求項１８】
通信を確立するために使用される前記第１の信号が、制御信号または送信要求（ＲＴＳ）信号の１つである、請求項１５に記載の第１のモバイルデバイス。
【請求項１９】
前記第１の応答信号が、制御信号、受信準備完了（ＣＴＳ）信号、または肯定応答（ＡＣＫ）信号の１つである、請求項１５に記載の第１のモバイルデバイス。
【請求項２０】
前記第２のモバイルデバイスへの通信を確立するために用いられる第１の信号を送信するための前記手段が、前記第１のモバイルデバイスの第１の位置に位置する第１のアンテナを用い、
認可された帯域を用いて前記第２のモバイルデバイスに第２の信号を送信するための前記手段が、前記第１の位置とは異なる前記第１のモバイルデバイスの第２の位置に位置する第２のアンテナを用いる、請求項１５に記載の第１のモバイルデバイス。
【請求項２１】
前記第２の信号への前記応答が、制御信号または受信準備完了（ＣＴＳ）信号の１つである、請求項１６に記載の第１のモバイルデバイス。
【請求項２２】
無認可の帯域が混雑している場合に、第１のモバイルデバイスを制御して、認可された帯域を用いてデータを送信する方法を実施するための機械実行可能命令を具現化する機械可読媒体であって、前記方法が、
前記第１のモバイルデバイスから第２のモバイルデバイスへの通信を確立するために用いられる第１の信号を無認可の帯域を用いて送信することと、
前記第１のモバイルデバイスにおいて、第１の応答信号が前記無認可の帯域を用いて前記第１のモバイルデバイスによって受信されたかどうかを判定することであって、前記第１の応答信号が、前記無認可の帯域を用いて通信され、前記第２のモバイルデバイスとの通信の確立の試みに成功したことを示す、判定することと、
前記判定することが、前記第１の応答信号が前記無認可の帯域を用いて前記第１のモバイルデバイスによって受信されていないことを示す場合に、前記第２のモバイルデバイスとの通信を確立する試みが所定の回数失敗したかどうかを判定することと、
前記第２のモバイルデバイスとの通信を確立する試みが前記所定の回数失敗したと判定された場合に、認可された帯域を用いて、前記第１のモバイルデバイスから前記第２のモバイルデバイスに第２の信号を送信することと
を含む、機械可読媒体。
【請求項２３】
前記第１のモバイルデバイスから前記第２のモバイルデバイスへの前記第２の信号への応答について、前記認可された帯域を監視するための命令をさらに含む、請求項２２に記載の機械可読媒体。
【請求項２４】
前記第１のモバイルデバイスにおいて、前記第２のモバイルデバイスからの前記第２の信号への前記応答が前記第１のモバイルデバイスによって受信されたかどうかを判定するための命令と、
前記第２のモバイルデバイスからの前記第２の信号への前記応答が前記第１のモバイルデバイスによって受信された場合に、前記認可された帯域を用いて、前記第１のモバイルデバイスから前記第２のモバイルデバイスにデータ信号を送信するための命令と
をさらに含む、請求項２３に記載の機械可読媒体。
【請求項２５】
前記第１の信号が、制御信号または送信要求（ＲＴＳ）信号の１つである、請求項２２に記載の機械可読媒体。
【請求項２６】
前記第１の応答信号が、制御信号、受信準備完了（ＣＴＳ）信号、または肯定応答（ＡＣＫ）信号の１つである、請求項２２に記載の機械可読媒体。
【請求項２７】
第１のモバイルデバイスから前記第２のモバイルデバイスへの通信を確立するために用いられる第１の信号を送信することが、前記第１のモバイルデバイスの第１の位置に位置する第１のアンテナを用いて行われ、
認可された帯域を用いて、前記第１のモバイルデバイスから前記第２のモバイルデバイスに第２の信号を送信することが、前記第１の位置とは異なる、前記第１のモバイルデバイスの第２の位置に位置する第２のアンテナを用いて実行される、請求項２２に記載の機械可読媒体。
【請求項２８】
前記第２の信号への前記応答が、制御信号または受信準備完了（ＣＴＳ）信号の１つである、請求項２３に記載の機械可読媒体。
【手続補正２】
【補正対象書類名】明細書
【補正対象項目名】００２８
【補正方法】変更
【補正の内容】
【００２８】
本発明は、本発明の趣旨または基本的な特徴から逸脱することなく、別の具体的な形態で具現化しうる。説明された実施形態は、あらゆる面において例示的なものに過ぎず、限定的ではないと考えられるべきであり、したがって本発明の範囲は、前述の説明ではなく、添付の特許請求の範囲によって示される。特許請求の範囲と等価な意味と範囲とに収まる全ての変更は、本発明の範囲に包含されるべきである。
以下に、本願出願の当初の特許請求の範囲に記載された発明を付記する。
［１］
無認可の帯域が混雑している場合に、認可された帯域を用いてデータを送信する方法であって、
第１のモバイルデバイスから第２のモバイルデバイスに無認可の帯域を用いて第１の信号を送信することと、
前記第１のモバイルデバイスにおいて、第１の応答信号が前記無認可の帯域を用いて前記第１のモバイルデバイスによって受信されたかどうかを判定することと、
前記第１の応答信号が前記無認可の帯域を用いて前記第１のモバイルデバイスによって受信されていない場合に、認可された帯域を用いて前記第１のモバイルデバイスから前記第２のモバイルデバイスに第２の信号を送信することと
を含む、方法。
［２］
前記第２の信号が前記認可された帯域を用いて前記第１のモバイルデバイスから前記第２のモバイルデバイスに送信されたことに応答して、前記認可された帯域を用いて、前記第２のモバイルデバイスにより第２の応答信号を前記第１のモバイルデバイスに送信することをさらに含む、［１］に記載の方法。
［３］
前記第１のモバイルデバイスにおいて、前記第２のモバイルデバイスからの前記第２の応答信号が前記第１のモバイルデバイスによって受信されたかどうかを判定することと、
前記第２のモバイルデバイスからの前記第２の応答信号が前記第１のモバイルデバイスによって受信された場合に、前記認可された帯域を用いて、前記第１のモバイルデバイスから前記第２のモバイルデバイスにデータ信号を送信することと
をさらに含む、［２］に記載の方法。
［４］
前記第１の信号が、制御信号と、送信要求（ＲＴＳ）信号と、データ信号とからなる群から選択される、［１］に記載の方法。
［５］
前記第１の応答信号が、制御信号と、受信準備完了（ＣＴＳ）信号と、肯定応答（ＡＣＫ）信号と、データ信号とからなる群から選択される、［１］に記載の方法。
［６］
前記第２の信号が、制御信号と、送信要求（ＲＴＳ）信号と、データ信号とからなる群から選択される、［１］に記載の方法。
［７］
前記第２の応答信号が、制御信号と、受信準備完了（ＣＴＳ）信号と、肯定応答（ＡＣＫ）信号と、データ信号とからなる群から選択される、［２］に記載の方法。
［８］
無認可の帯域が混雑している場合に、認可された帯域を用いてデータを送信するための装置であって、
プロセッサを含み、前記プロセッサが、
モバイルデバイスに無認可の帯域を用いて第１の信号を送信し、
第１の応答信号が前記無認可の帯域を用いて受信されたかどうかを判定し、
前記第１の応答信号が前記無認可の帯域を用いて受信されていない場合に、認可された帯域を用いて前記モバイルデバイスに第２の信号を送信する
ように構成される、装置。
［９］
前記プロセッサが、前記第２の信号が前記認可された帯域を用いて送信されたことに応答して、前記認可された帯域を用いて第２の応答信号を受信するようにさらに構成される、［８］に記載の装置。
［１０］
前記プロセッサが、
前記モバイルデバイスからの前記第２の応答信号が受信されたかどうかを判定し、
前記モバイルデバイスからの前記第２の応答信号が受信された場合に、前記認可された帯域を用いて、前記モバイルデバイスにデータ信号を送信する
ようにさらに構成される、［９］に記載の装置。
［１１］
前記第１の信号が、制御信号と、送信要求（ＲＴＳ）信号と、データ信号とからなる群から選択される、［８］に記載の装置。
［１２］
前記第１の応答信号が、制御信号と、受信準備完了（ＣＴＳ）信号と、肯定応答（ＡＣＫ）信号と、データ信号とからなる群から選択される、［８］に記載の装置。
［１３］
前記第２の信号が、制御信号と、送信要求（ＲＴＳ）信号と、データ信号とからなる群から選択される、［８］に記載の装置。
［１４］
前記第２の応答信号が、制御信号と、受信準備完了（ＣＴＳ）信号と、肯定応答（ＡＣＫ）信号と、データ信号とからなる群から選択される、［９］に記載の装置。
［１５］
無認可の帯域が混雑している場合に、認可された帯域を用いてデータを送信するための装置であって、
モバイルデバイスに無認可の帯域を用いて第１の信号を送信するための手段と、
第１の応答信号が前記無認可の帯域を用いて受信されたかどうかを判定するための手段と、
前記第１の応答信号が前記無認可の帯域を用いて受信されていない場合に、認可された帯域を用いて前記モバイルデバイスに第２の信号を送信するための手段と
を含む、装置。
［１６］
前記第２の信号が前記認可された帯域を用いて送信されたことに応答して、前記認可された帯域を用いて第２の応答信号を受信するための手段をさらに含む、［１５］に記載の装置。
［１７］
前記モバイルデバイスからの前記第２の応答信号が受信されたかどうかを判定するための手段と、
前記モバイルデバイスからの前記第２の応答信号が受信された場合に、前記認可された帯域を用いて、前記モバイルデバイスにデータ信号を送信するための手段と
をさらに含む、［１６］に記載の装置。
［１８］
前記第１の信号が、制御信号と、送信要求（ＲＴＳ）信号と、データ信号とからなる群から選択される、［１５］に記載の装置。
［１９］
前記第１の応答信号が、制御信号と、受信準備完了（ＣＴＳ）信号と、肯定応答（ＡＣＫ）信号と、データ信号とからなる群から選択される、［１５］に記載の装置。
［２０］
前記第２の信号が、制御信号と、送信要求（ＲＴＳ）信号と、データ信号とからなる群から選択される、［１５］に記載の装置。
［２１］
前記第２の応答信号が、制御信号と、受信準備完了（ＣＴＳ）信号と、肯定応答（ＡＣＫ）信号と、データ信号とからなる群から選択される、［１６］に記載の装置。
［２２］
無認可の帯域が混雑している場合に、認可された帯域を用いてデータを送信する方法を実施するための機械実行可能命令を具現化する機械可読媒体であって、前記方法が、
第１のモバイルデバイスから第２のモバイルデバイスに無認可の帯域を用いて第１の信号を送信することと、
前記第１のモバイルデバイスにおいて、第１の応答信号が前記無認可の帯域を用いて前記第１のモバイルデバイスによって受信されたかどうかを判定することと、
前記第１の応答信号が前記無認可の帯域を用いて前記第１のモバイルデバイスによって受信されていない場合に、認可された帯域を用いて前記第１のモバイルデバイスから前記第２のモバイルデバイスに第２の信号を送信することと
を含む、機械可読媒体。
［２３］
前記第２の信号が前記認可された帯域を用いて前記第１のモバイルデバイスから前記第２のモバイルデバイスに送信されたことに応答して、前記認可された帯域を用いて、前記第２のモバイルデバイスにより第２の応答信号を前記第１のモバイルデバイスに送信するための命令をさらに含む、［２２］に記載の機械可読媒体。
［２４］
前記第１のモバイルデバイスにおいて、前記第２のモバイルデバイスからの前記第２の応答信号が前記第１のモバイルデバイスによって受信されたかどうかを判定するための命令と、
前記第２のモバイルデバイスからの前記第２の応答信号が前記第１のモバイルデバイスによって受信された場合に、前記認可された帯域を用いて、前記第１のモバイルデバイスから前記第２のモバイルデバイスにデータ信号を送信するための命令と
をさらに含む、［２３］に記載の機械可読媒体。
［２５］
前記第１の信号が、制御信号と、送信要求（ＲＴＳ）信号と、データ信号とからなる群から選択される、［２２］に記載の機械可読媒体。
［２６］
前記第１の応答信号が、制御信号と、受信準備完了（ＣＴＳ）信号と、肯定応答（ＡＣＫ）信号と、データ信号とからなる群から選択される、［２２］に記載の機械可読媒体。
［２７］
前記第２の信号が、制御信号と、送信要求（ＲＴＳ）信号と、データ信号とからなる群から選択される、［２２］に記載の機械可読媒体。
［２８］
前記第２の応答信号が、制御信号と、受信準備完了（ＣＴＳ）信号と、肯定応答（ＡＣＫ）信号と、データ信号とからなる群から選択される、［２３］に記載の機械可読媒体。
【手続補正書】
【提出日】平成24年5月30日(2012.5.30)
【手続補正１】
【補正対象書類名】明細書
【補正対象項目名】００１５
【補正方法】変更
【補正の内容】
【００１５】
プロセッサ２０５は、ハードウェア、ソフトウェア、ファームウェア、ミドルウェア、マイクロコード、またはこれらの任意の組み合わせを用いて実装されうる。プロセッサ２０５は、Ａｄｖａｎｃｅｄ  ＲＩＳＣ  Ｍａｃｈｉｎｅ（ＡＲＭ）、コントローラ、デジタルシグナルプロセッサ（ＤＳＰ）、マイクロプロセッサ、符号器、復号器、回路、プロセッサチップ、またはデータを処理することができる任意の別のデバイス、およびこれらの任意の組み合わせであってよい。用語「回路」は、プロセッサ回路、メモリ回路、ＲＦ送受信機回路、電源回路、映像回路、音声回路、キーボード回路、およびディスプレイ回路を含んでもよい。
【手続補正２】
【補正対象書類名】明細書
【補正対象項目名】００２５
【補正方法】変更
【補正の内容】
【００２５】
本明細書で開示される実施形態に関連して説明される、様々な例示的な論理ブロック、モジュール、および回路は、汎用処理デバイス、デジタル信号処理デバイス（ＤＳＰ）、特定用途向け集積回路（ＡＳＩＣ）、フィールドプログラマブルゲートアレイ（ＦＰＧＡ）または別のプログラム可能な論理デバイス、個別ゲートまたはトランジスタロジック、個別のハードウェアコンポーネント、または、本明細書で説明される機能を実行するように設計されたこれらの任意の組み合わせによって実装され、または実行されうる。汎用処理デバイスはマイクロプロセシングデバイスであってよいが、代替的に、処理デバイスは、任意の従来の処理デバイス、マイクロプロセシングデバイス、またはステートマシンであってよい。処理デバイスはまた、コンピューティングデバイスの組み合わせとして、例えばＤＳＰとマイクロプロセシングデバイスの組み合わせ、複数のマイクロプロセシングデバイス、ＤＳＰコアに接続された１つまたは複数のマイクロプロセシングデバイス、または任意の他のそのような構成として実装されうる。
【手続補正３】
【補正対象書類名】図面
【補正対象項目名】図２
【補正方法】変更
【補正の内容】
【図２】
2013500627.tif 000007
【国際調査報告】
2013500627.tif 000008
2013500627.tif 000009
2013500627.tif 000010